(57)【特許請求の範囲】
【請求項１】
眼底上の特定点に照明光を照射する照射光学系と、前記特定点の所定情報を測定する測定手段と、該測定手段を作動する測定開始手段と、前記測定手段が作動を開始する前段階において前記照明光を点滅照射する点滅照射制御手段とを有することを特徴とする眼科機器。
【請求項２】
前記照射光学系に設けた前記照明光の照射位置移動手段と、該照射位置移動手段を用いて前記照明光を前記特定点へ移動可能とした請求項１に記載の眼科機器。
【請求項３】
前記測定手段が作動を開始する前段階において、前記測定手段の測定条件を決定する測定条件決定手段を有する請求項１に記載の眼科機器。
【請求項４】
前記測定条件決定手段は前記照明光の眼底からの反射光を受光する第１の受光手段を有し、前記照明光が点灯時の前記第１の受光手段の出力に基づいて測定条件を決定する請求項３に記載の眼科機器。
【請求項５】
前記測定条件決定手段が決定する測定条件を前記照明光の入射光量条件とし、該入射光量条件に基づいて前記照明光の入射光量を変更する調光手段を有する請求項４に記載の眼科機器。
【請求項６】
前記測定手段に前記特定点の所定情報を得るための第２の受光手段を設け、前記測定条件決定手段が決定する測定条件を前記第２の受光手段の受光感度条件とし、該受光感度条件に基づいて前記第２の受光手段の受光感度を変更する受光感度制御手段を有する請求項４に記載の眼科機器。
【請求項７】
前記照明光により照明された眼底像を受像する受像手段と、該受像手段からの情報に基づいて前記照射位置移動手段を駆動して前記照明光を前記特定点近傍に追尾照射するトラッキング手段とを有する請求項２又は３に記載の眼科機器。
【発明の詳細な説明】
【０００１】
【発明の属する技術分野】
本発明は、眼底部位の生体情報の検査を行う眼科機器に関するものである。
【０００２】
【従来の技術】
従来から、移動する物体にレーザー光を照射し、その反射光の周波数ドップラシフトからその物体の移動速度を測定するレーザードップラ流速計が一般に知られており、これを眼底部の血管内血流速度の測定に応用したレーザードップラ眼底血流計が、特開平８−２１５１５０号公報に開示されている。
【０００３】
この眼底血流計は眼底部の血管上に一定時間測定光ビームを照射して測定値を得るが、被検眼の固視微動等によって測定部位に測定光ビームを正確に照射し続けることが困難なために、血管位置を検出した後に、固視微動に対応してリアルタイムで、測定光ビームの照射位置を測定部位上で移動させるトラッキング手段が必要となる。このトラッキングシステムは特表平６−５０３７３３号公報、特開平７−１５５２９９号公報等に開示されており、これらは測定光の他にトラッキング光を目標血管に照射し、その反射光の受像状態の変化によって固視微動による目標血管の変位を計算して、測定光を目標血管上に誘導する方式である。
【０００４】
即ち、トラッキング光を目標血管上に誘導するエイミング操作を行った後に、トラッキング動作を開始するが、測定を始める前に測定光ビームが正確に目標血管にトラッキングされているかどうかの確認をするために、測定光ビームを試験的に照射する必要がある。また、トラッキング時や測定時に受光素子で得られる信号のＳ／Ｎを適正にするために、受光素子の感度を調整するＡＧＣを行う必要もある。
【０００５】
しかし、眼底部へのレーザー光の照射は、その強度と照射時間に比例して生体組織へ悪影響を与えるので、レーザー光はトラッキング中や測定時間内だけ照射することが理想的である。しかし、実際にはエイミングや測定光ビームのトラッキング確認を行うことが正確な測定を行うために大切であり、更にＡＧＣ等の測定前の条件設定等にも或る程度の時間が必要となる。
【０００６】
また、レーザー光の被ばく量を減らすために照射光量を落とすと、受光素子で得られる信号のＳ／Ｎが低下し、トラッキングや測定の精度に影響が生ずるので、レーザー光凝固装置等では、治療を行う前の治療光スポットの位置確認中は治療光の光量を低下させて、眼底に対するレーザー光の全被ばく量を抑制する手段が使用されている。
【０００７】
【発明が解決しようとする課題】
しかしながら、上述の従来例のレーザードップラ眼底血流計は、エイミング中やビームの確認時には、眼底反射像を測定用インジケータとして見ながら操作をするので、レーザー光凝固装置に比較して測定前に複雑な操作が必要となる。また、レーザー光凝固装置の手法を応用して、トラッキングや測定中以外に、トラッキング光や測定光の光量を低下させてレーザー光の被ばく量を抑制させると、眼底での反射輝度の低下による測定用インジケータの視認性の悪化により、操作性が損なわれ、全体的に検査時間の延長を招き、結果的に被検眼に対するレーザー光の被ばく量が増加する可能性がある。一方、測定用インジケータの視認性に影響が生じない程度の光量の低減では、眼底に対する照射量の抑制効果は期待できない。
【０００８】
また、個体差や部位により眼底部の反射率等に違いがあるために、照射光の必要量は異なってくるので、条件の最も悪い場合を考慮した上で光量を決め、この光量でトラッキング光や測定光を照射する必要があり、結果的に多くの被検眼に対して必要以上の光量を照射する可能性がある。
【０００９】
本発明の目的は、上述の問題点を解消し、被検眼に対する不要な光量照射を抑制するために、照明光の眼底反射光を受光する受光素子の入力光量を可変とした眼科機器を提供することにある。
【００１０】
【課題を解決するための手段】
上記目的を達成するための本発明に係る眼科機器は、眼底上の特定点に照明光を照射する照射光学系と、前記特定点の所定情報を測定する測定手段と、該測定手段を作動する測定開始手段と、前記測定手段が作動を開始する前段階において前記照明光を点滅照射する点滅照射制御手段とを有することを特徴とする。
【００１１】
【発明の実施の形態】
本発明を図示の実施例に基づいて詳細に説明する。
図１は実施例の眼底血流計の構成図を示し、白色光を発するタングステンランプ等から成る観察用光源１から被検眼Ｅに対向する対物レンズ２へ至る眼底照明光学系には、コンデンサレンズ３、例えば黄色域の波長光のみを透過するバンドパスフィルタ付フィールドレンズ４、被検眼Ｅの瞳孔Epとほぼ共役なリングスリット５、被検眼Ｅの水晶体とほぼ共役な遮光部材６、リレーレンズ７、光路に沿って移動自在な固視標表示用素子である透過型液晶板８、リレーレンズ９、被検眼Ｅの角膜近傍と共役な遮光部材１０、孔あきミラー１１、黄色域の波長光を透過し他の光束を殆ど反射するバンドパスミラー１２が順次に配列されている。
【００１２】
なお、リングスリット５、遮光部材６、１０は、被検眼Ｅの前眼部において眼底照明光と眼底観察光を分離するためのものであり、必要な遮光領域を形成するものであればその形状は問題とはならない。
【００１３】
孔あきミラー１１の背後には眼底観察光学系が構成されており、光路に沿って移動自在なフォーカシングレンズ１３、リレーレンズ１４、スケール板１５、光路中に挿脱自在な光路切換えミラー１６、接眼レンズ１７が順次に配列され、検者眼ｅに至っている。光路切換えミラー１６が光路中に挿入されているときの反射方向の光路上には、テレビリレーレンズ１８、ＣＣＤカメラ１９が配置され、ＣＣＤカメラ１９の出力は液晶モニタ２０に接続されている。
【００１４】
バンドパスミラー１２の反射方向の光路上にはイメージローテータ２１が配置され、その先には紙面に垂直な回転軸を有する両面研磨されたガルバノメトリックミラー２２が配置され、その下側反射面２２ａの反射方向には、光路に沿って移動自在なフォーカシングレンズ２３が配置され、上側反射面２２ｂの反射方向には、レンズ２４、光路に沿って移動自在なフォーカスユニット２５が配置されている。なお、ガルバノメトリックミラー２２は被検眼Ｅの瞳孔Epと共役関係にあるレンズ２４の前側焦点面に配置されている。
【００１５】
また、ガルバノメトリックミラー２２の後方には、光路長補償半月板２６、光路中に遮光部を有する黒点板２７、凹面ミラー２８が光路上に同心に配列されており、ガルバノメトリックミラー２２の下側反射面２２ａで反射されずに通過する光束を、ガルバノメトリックミラー２２の上側反射面２２ｂへ導くリレー光学系が構成されている。なお、光路長補正用半月板２６はガルバノメトリックミラー２２のミラー厚により、その上側反射面２２ｂ及び下側反射面２２ａの位置に生ずる図面上下方向へずれを補正するためのものであり、イメージローテータ２１へ向かう光路中にのみ作用するものである。
【００１６】
フォーカスユニット２５においては、レンズ２４と同一光路上にダイクロイックミラー２９、集光レンズ３０が配置され、ダイクロイックミラー２９の反射方向の光路上にはマスク３１、ミラー３２が配置されており、このフォーカスユニット２５は一体的に矢印で示す方向に移動ができるようになっている。
【００１７】
集光レンズ３０の入射方向の光路上には、固定ミラー３３、光路から退避可能な光路切換えミラー３４が平行に配置され、光路切換えミラー３４の入射方向の光路上には、コリメータレンズ３５、コヒーレントな例えば赤色光を発する測定用のレーザーダイオード３６が配置されている。更に、ミラー３２の入射方向の光路上には、シリンドリカルレンズ等から成るビームエクスパンダ３７、図２に示すように開口部と遮光部が１対１となり、モータ３８により回転する円板スリット３９、複数のＮＤフィルタから成り光路中に挿脱可能なＮＤフィルタ群４０、高輝度の他の光源と異なる例えば緑色光を発するトラッキング用光源４１が順次に配列されている。
【００１８】
フォーカシングレンズ２３の背後の光路上には、ダイクロイックミラー４２、フィールドレンズ４３、拡大レンズ４４、イメージインテンシファイヤ付一次元ＣＣＤ４５が順次に配列され、血管検出系が構成されている。
【００１９】
また、ダイクロイックミラー４２の反射方向の光路上には、結像レンズ４６、共焦点絞り４７、被検眼Ｅの瞳孔Epとほぼ共役なミラー対４８ａ、４８ｂが配慮され、ミラー対４８ａ、４８ｂの反射方向には、それぞれフォトマルチプライヤ４９ａ、４９ｂが配置され、測定用受光光学系が構成されている。なお、図示の都合上、全ての光路を同一平面上に示したが、レーザーダイオード３６からマスク３１に至る光路、トラッキング用光源４１の出射方向の測定光路、ミラー対４８ａ、４８ｂの反射光路はそれぞれ紙面に直交している。
【００２０】
更に、装置全体を制御するためのシステム制御部５０が設けられ、システム制御部５０には、一次元ＣＣＤ４５、フォトマルチプライヤ４９ａ、４９ｂ、検者が操作する入力手段５１の出力がそれぞれ接続されている。また、システム制御部５０の出力は、光路切換えミラー３４、レーザーダイオード３６、トラッキング用光源４１、ガルバノメトリックミラー２２を制御するガルバノメトリックミラー制御回路５２、一次元ＣＣＤ４５の受光感度を調整するＣＣＤ感度制御回路５３、フォトマルチプライヤ４９ａ、４９ｂの受光感度を調整するフォトマルチプライヤ感度制御回路５４、レーザーダイオード３６の発光を制御するレーザーダイオード発光制御回路５５、ＮＤフィルタ群４０を駆動するＮＤフィルタ駆動手段５６、モータ３８を駆動するモータ制御回路５７にそれぞれ接続されている。また、ガルバノメトリックミラー制御回路５２には、一次元ＣＣＤ４５の出力が血管位置検出回路５８を介して接続されている。
【００２１】
図３は被検眼Ｅの瞳孔Ep上の各光束の配置を示し、Ｉは黄色の照明光により照明される領域でリングスリット５の像、Ｏは眼底観察光束で孔あきミラー１１の開口部の像、Ｖは測定／血管受光光束でガルバノメトリックミラー２２の上下側反射面２２ｂ、２２ａの有効部の像、Da、Dbは２つの測定受光光束でそれぞれミラー対４８ａ、４８ｂの像である。また、P1、P1' は測定光の入射位置で、光路切換えミラー３４を切換えることによって選択される測定光の位置を示し、鎖線で示す領域Ｍはガルバノメトリックミラー２２の下側反射面２２ａの像である。
【００２２】
観察用光源１から発した白色光はコンデンサレンズ３を通り、バンドパスフィルタ付フィールドレンズ４により黄色の波長光のみが透過し、リングスリット５、遮光部材６、リレーレンズ７を通り、透過型液晶８を背後から照明し、リレーレンズ９、遮光部材１０を通って孔あきミラー１１で反射され、黄色域の波長光のみがバンドパスミラー１２を透過し、対物レンズ２を通り、被検眼Ｅの瞳孔Ep上で眼底照明光光束像Ｉとして一旦結像した後に、眼底Eaをほぼ一様に照明する。このとき、透過型液晶板８には固視標が表示されており、照明光により被検眼Ｅの眼底財に投影され、視標像として被検眼Ｅに呈示される。
【００２３】
眼底Eaからの反射光は同じ光路を戻り、瞳孔Ep上から眼底観察光光束Ｏとして取り出され、孔あきミラー１１の中心の開口部、フォーカシングレンズ１３、リレーレンズ１４を通り、スケール板１５で眼底像Ea’として結像した後に、光路切換えミラー１６に至る。ここで、光路切換えミラー１６が光路から退避しているときは、検者眼ｅにより接眼レンズ１７を介して眼底像Ea’が観察可能となり、一方で光路切換えミラー１６が光路に挿入されているときは、スケール板１５上に結像された眼底像Ea’が、テレビリレーレンズ１８によりＣＣＤカメラ１９上に再結像され、液晶モニタ２０に映出される。
【００２４】
接眼レンズ１７又は液晶モニタ２０により、この眼底像Ea’を観察しながら装置のアライメントを行う。このとき、目的に応じて適切な観察方式を採用することが好適であり、接眼レンズ１７による観察の場合には、一般的に液晶モニタ２０等よりも高解像かつ高感度なので、眼底Eaの微細な変化を読み取って診断する場合に適している。一方、液晶モニタ２０による観察の場合は、視野を制限しないので検者の疲労を軽減することができ、更にＣＣＤカメラ１９の出力を外部のビデオテープレコーダやビデオプリンタ等に接続することにより、眼底像Ea’上の測定部位の変化を逐次に電子的に記録することが可能となるので、臨床上極めて有効である。
【００２５】
次に、測定用のレーザーダイオード３６とトラッキング用光源４１を点灯すると、レーザーダイオード３６を発した測定光はコリメータレンズ３５によりコリメートされ、光路切換えミラー３４が光路に挿入されている場合には、光路切換えミラー３４、固定ミラー３３でそれぞれ反射され、集光レンズ３０の下方を通過し、光路切換えミラー３４が光路から退避している場合には、直接集光レンズ３０の上方を通過し、ダイクロイックミラー２９を透過する。
【００２６】
一方、トラッキング用光源４１から発したトラッキング光は、ＮＤフィルタ群４０により光量調整され、円板スリット３９において点滅光となり、ビームエクスパンダ３７により縦横異なる倍率でビーム径が拡大され、ミラー３２で反射された後に、整形用マスク３１で所望の形状に整形され、ダイクロイックミラー２９に反射されて、マスク３１の開口部中心と共役な位置にスポット状に結像されている測定光と、集光レンズ３０により重畳される。重畳された測定光とトラッキング光はレンズ２４を通り、ガルバノメトリックミラー２２の上側反射面２２ｂで一度反射され、黒点板２７を通った後に凹面鏡２８で反射され、再び黒点板２７、光路長補正用半月板２６を通りガルバノメトリックミラー２２の方へ戻される。
【００２７】
ここで、凹面鏡２８、黒点板２７、光路長補正用半月板２６によるリレー光学系の機能により、ガルバノメトリックミラー２２の上側反射面２２ｂと下側反射面２２ａは−１倍で結像されるので、光路切換えミラー３４を光路中へ挿入／退避することにより、ガルバノメトリックミラー２２の像Ｍの裏側の位置P1、P1’の位置で反射された測定光とトラッキング光は、ガルバノメトリックミラー２２の切欠き部のP2、P2’へ戻されることになり、ガルバノメトリックミラー２２に反射されることなくイメージローテータ２１へ向かう。そして、イメージローテータ２１を経て、バンドパスミラー１２により偏向された測定光とトラッキング光は、対物レンズ２を介して被検眼Ｅの眼底Eaに照射される。
【００２８】
このように、測定光とトラッキング光はガルバノメトリックミラー２２の上側反射面２２ｂ内で反射されて、再び戻されるときは対物レンズ２の光軸から偏心した状態でガルバノメトリックミラー２２に入射し、図３に示すように瞳孔Ep上でスポット像P2又はP2’として結像した後に眼底Eaを点状に照射する。
【００２９】
測定光とトラッキング光の眼底Eaでの散乱反射光は、再び対物レンズ２で集光され、バンドパスミラー１２で反射されイメージローテータ２１を通り、ガルバノメトリックミラー２２の下側反射面２２ａで反射され、フォーカシングレンズ２３を通り、ダイクロイックミラー４２において測定光とトラッキング光は分離される。
【００３０】
トラッキング光はダイクロイックミラー４２を透過し、フィールドレンズ４３を介して結像レンズ４４により、一次元ＣＣＤ４５上で眼底観察光学系による眼底像Ea’よりも拡大された血管像Ev’として結像し、撮像された血管像Ev’に基づいて、血管位置検出回路５８において血管像Ev’の移動量を表すデータが作成され、ガルバノメトリックミラー制御回路５２に出力され、ガルバノメトリックミラー制御回路５２はこの移動量を補償するようにガルバノメトリックミラー２２を駆動する。
【００３１】
このとき、バンドパスミラー１２の分光特性により、観察用光源１からの照明光は一次元ＣＣＤ４５には到達せず、この結果、一次元ＣＣＤ４５にはトラッキング光による血管像Ev’のみが撮像される。また、血中ヘモグロビンと色素上皮上メラニンとは、緑色の波長域においてその分光反射率が大きく異なるために、トラッキング光を緑色光にすることにより血管像Ev’をコントラスト良く撮像することができる。
【００３２】
一方、測定光はダイクロイックミラー４２により反射され、共焦点絞り４７の開口部を経てミラー対４８ａ、４８ｂで反射され、それぞれフォトマルチプライヤ４９ａ、４９ｂで受光される。フォトマルチプライヤ４９ａ、４９ｂの出力はそれぞれシステム制御部５０に出力され、この受光信号は従来例と同様に周波数解析されて眼底Eaの血流速度が求められる。
【００３３】
また、測定光とトラッキング光による眼底Eaでの散乱反射光の一部は、バンドパスミラー１２を透過し、孔あきミラー１１の背後の眼底観察光学系に導かれ、トラッキング光はスケール板１５上に棒状のインジケータＴとして結像する。このとき、インジケータＴの中心は、ＣＣＤカメラ１９のトラッキングセンサ上に初期設定したトラッキング基準位置と、眼底Ea上で共役点となるように構成されている。
【００３４】
図４は接眼レンズ１７又は液晶モニタ２０を介して観察される眼底像Ea’、視標像Ｆ、インジケータＴを示す。このとき、インジケータＴの中心には図示しない測定光のスポット像が重畳して観察されており、インジケータＴは入力手段５１の操作桿等の操作部材により、眼底Ea上を一次元に移動させることができる。また、視野の中心の正円はスケール板１５上のエイミングサークルと呼ぶスケールＳであり、インジケータＴを移動できる範囲を表している。
【００３５】
測定は目標血管のエイミング、トラッキング開始、トラッキング確認、測定開始の順序で行う。検者は先ず目標血管のエイミングを行う前に、眼底像Ea’のピント合わせを行う。入力手段５１のフォーカスノブを調整すると、図示しない駆動手段により透過型液晶板８、フォーカシングレンズ１３、２３、フォーカスユニット２５が連動して光路に沿って移動する。これによって、眼底像Ea’のピントが合うと、透過型液晶板８、スケール板１５、一次元ＣＣＤ４５、共焦点絞り４７は同時に眼底Eaと共役になる。
【００３６】
ピント合わせが終了した後に、検者は入力手段５１を操作して視標像Ｆを移動し、被検眼Ｅの視線を誘導して観察領域を変更し、測定対象とする血管像Ev’をスケール板１５のサークルＳ内へ移動する。そして、図５に示すように、入力手段５１の操作桿によりイメージローテータ２１を操作してインジケータＴを回転し、測定対象とする血管Evの走行方向に対してインジケータＴが垂直になるようにする。このとき、眼底観察光はイメージローテータ２１を通過していないために、インジケータＴのみが回転するように認識される。
【００３７】
引き続き入力手段５１の操作桿を操作して、図６に示すようにトラッキング光であるインジケータＴと測定血管Evを直交させる角度合わせを行い、更にインジケータＴの長手方向への移動を行って、インジケータＴの一部分を測定血管像Ev’に直交状態で重ねる。この時点で、トラッキング光の長手方向に配列された血管検出系の一次元ＣＣＤ４５の素子には、図７に示すようにトラッキング光により指示・照明された血管像Ev’が拡大して撮像されている。
【００３８】
眼底Ea上に投影されたトラッキング光の反射光は、イメージローテータ２１、ガルバノメトリックミラー２２を経て、−ｎ倍で一次元ＣＣＤ４５に投影されるので、インジケータＴの見掛け上の動きに拘わらず一次元ＣＣＤ４５上では静止しており、インジケータＴが長手方向に動いたときは、血管像Ev’だけが一次元ＣＣＤ４５上を移動することになる。
【００３９】
この間に、システム制御部５０はスリットモータ制御回路５７、モータ３８を介して円板スリット３９を回転をさせる。円板スリット３９の回転により開口部と遮光部が１対１になり、トラッキング光の眼底Eaに対する照射光量は図８に示すように変化し、点滅周期ｔでの点灯と消灯の時間比が１対１になるので、眼底Eaの光線被ばく量は連続点灯時に比較して半分になる。
【００４０】
また、システム制御部５０は一次元ＣＣＤ４５の出力を受けてＮＤフィルタ駆動手段５６を通じてＮＤフィルタ群４０を適宜光路内で動かし、眼底Eaへのトラッキング光の光量が必要最低限となるように制御する。このとき、システム制御部５０はトラッキング光が点灯している時にのみ光量を判断しており、トラッキング光が点灯時であることは、一次元ＣＣＤ４５の出力変動やモータ５７からの回転同期信号等により判断できる。
【００４１】
目標血管のエイミング終了後に、再び入力手段５１を操作してトラッキング開始の指令をシステム制御部５０に入力すると、一次元ＣＣＤ４５の出力を受けたシステム制御部５０は、最終的な適正光量を判断してＮＤフィルタ群４０を駆動する。同時に、ＣＣＤ感度制御回路５３を通じて一次元ＣＣＤ４５の受光感度を調整し、その後にスリットモータ制御回路５７を通じて、円板スリット３９の開口部が光路上に至るようにして、モータ３８を停止する。
【００４２】
次にトラッキングを開始すると、血管位置検出回路５８において、一次元ＣＣＤ４５の受光信号に基づいて、図７に示す血管像Ev’の一次元ＣＣＤ４５の基準位置４５ａからの移動量ｘが算出され、ガルバノメトリックミラー制御回路５２により、この移動量ｘに基づいてガルバノメトリックミラー２２が駆動され、一次元ＣＣＤ４５上の血管像Ev’の受像位置がＣＣＤ４５の基準位置４５ａ上に至るように制御される。
【００４３】
トラッキングの開始に前後して、トラッキング状態の確認のために測定光をトラッキング光に重畳して照射する。なお本実施例においては、トラッキングシステムにより測定血管Evを正確かつ容易に捉えることができるように、図９に示すように測定光のビームスポットＵは、眼底Ea上でトラッキング光Ｔの基準相当位置４５ａに重畳して照射する。
【００４４】
この段階で、測定光のビームスポットＵが目標血管Ev上に正確に照射されていることでトラッキング確認を行い、正しくトラッキングが行われていないときは必要な補正作業を行う。そして、システム制御部５０はレーザーダイオード発光制御回路５５を介してレーザーダイオード３６を駆動して点滅させる。これによって、測定光の眼底Eaに対する照射光量は、エイミングの場合と同様に図８に示すように変化し、眼底Eaの光線被ばく量は連続点灯時に比較して半分になる。
【００４５】
また、フォトマルチプライヤ４９ａ、４９ｂの出力を受けて、システム制御部５０はレーザーダイオード発光制御回路５５を通じてレーザーダイオード３６を駆動し、眼底Eaへの測定光の光量を必要最低限となるように制御する。このとき、システム制御部５０は測定光が点灯している時にのみ光量を判断しており、同時にフォトマルチプライヤ感度制御回略５４を通じてフォトマルチプライヤ４９ａ、４９ｂの受光感度を調整する。なお、測定光が点灯時であることの判断は、フォトマルチプライヤ４９ａ、４９ｂの出力変動やレーザーダイオード発光制御回路５５の点滅周期信号等により行う。また、測定光の照射光量を検知するために、フォトマルチプライヤ４９ａ、４９ｂ以外の受光素子を受光光学系に設ければ、測定用の受光素子の消耗を軽減することができる。
【００４６】
トラッキングが確認がされた後に、再び入力手段５１を操作して測定を開始すると、システム制御部５０はレーザーダイオード発光制御回路５５を介して測定光の点滅を停止して所定の測定を行う。
【００４７】
上述の説明では、測定光が点滅する際の点灯と消灯の比は１対１としたが、円板スリット３９の開口部の大きさやレーザーダイオード発光制御回路５５の制御変更により点灯と消灯の比を１対２にすれば、眼底Eaへの被ばく光量は連続点灯時の１／３にすることができる。このように、点灯と消灯の比を適宜選択すれば眼底Eaの被ばく光量を調整可能となり、更に注意を引くためのゆっくりした点滅や、見掛け上は連続点灯しているような早い点滅等の、点滅の周波数を適宜変更することによって、検者の使い易い作業環境を与えることが可能である。
【００４８】
【発明の効果】
以上説明したように本発明に係る眼科装置は、測定手段が作動を開始する前段階において、測定インジケータの照明光を点滅照射することにより、測定時間以外の位置合わせや測定部位の確認のための時間において、眼底に対する測定インジケータの照射光の被ばく量を大幅に軽減することができ、測定時に最適な光量を用いることができるので、測定インジケータの視認性を損なうことがなく、操作環境に悪影響を及ぼすことはない。また、点滅に同期した照射光量の調整によって常に適正な輝度を確保することができ、測定に用いる光量で光量調整や受光感度調整ができるので、調整を簡便かつ正確に行うことができる。
【図面の簡単な説明】
【図１】眼底血流計の構成図である。
【図２】円板スリットの正面図である。
【図３】瞳孔上の光束配置の説明図である。
【図４】検者視野の説明図である。
【図５】検者視野の説明図である。
【図６】検者視野の説明図である。
【図７】一次元ＣＣＤの拡大正面図である。
【図８】測定光及びトラッキング光の光量のタイムチャート図である。
【図９】測定光及びトラッキング光の説明図である。
【符号の説明】
１  観察用光源
１９  ＣＣＤカメラ
２０  液晶モニタ
２１  イメージローテータ
２２  ガルバノメトリックミラー
２５  フォーカスユニット
３６  レーザーダイオード
３９  円板スリット
４０  ＮＤフィルタ群
４１  トラッキング用光源
４５  一次元ＣＣＤ
４９ａ、４９ｂ  フォトマルチプライヤ
５０  システム制御回路
【図１】
0003762035.tif 000002
【図２】
0003762035.tif 000003
【図３】
0003762035.tif 000004
【図４】
0003762035.tif 000005
【図５】
0003762035.tif 000006
【図６】
0003762035.tif 000007
【図７】
0003762035.tif 000008
【図８】
0003762035.tif 000009
【図９】
0003762035.tif 000010